(57)【要約】      （修正有）【課題】ＬＥＤライトの電源供給回路を簡易かつ実用的な構成とし、発熱を抑制したコンデンサ充放電式ＬＥＤライト電源供給装置を提供する。【解決手段】整流回路１０、二充放電コンデンサＣ１、Ｃ２により構成し、二充放電コンデンサＣ１、Ｃ２は複数個のＬＥＤライト１１に接続し、複数のＬＥＤライト数にそれぞれ分けて並列に接続する。二充放電コンデンサはそれぞれ正電源端子、負電源端子に接続し、それらによって相互に交代して充電、放電し、電圧を上げてＬＥＤライトを全発光させる。【選択図】図１
0003182370.tif 000002
【実用新案登録請求の範囲】
【請求項１】
整流回路、二充放電コンデンサ及び複数個のＬＥＤライトにより構成されたコンデンサ充放電式ＬＥＤライト電源供給装置であって、
該整流回路は、一端を交流電源と接続し、他端を二充放電コンデンサを接続し、整流回路は二個ダイオードを備えて交流電流を直流電流とし、
該二充放電コンデンサは、端子をそれぞれ電源の正電源端子、負電源端子に接続し、二充放電コンデンサ間に電源線を接続し、電源が正、負弦波の時、二充電コンデンサは交代で充電、放電作用を形成して電圧を上げてＬＥＤライトを発光させることを特徴とするコンデンサ充放電式ＬＥＤライト電源供給装置。
【請求項２】
前記複数個のＬＥＤライトは、数個のＬＥＤライトをそれぞれ直列に設置して，各直列のＬＥＤライトの間は並列に接続することを特徴とする請求項１記載のコンデンサ充放電式ＬＥＤライト電源供給装置。
【考案の詳細な説明】
【技術分野】
【０００１】
本考案は、コンデンサ充放電式ＬＥＤライト電源供給装置に関するもので、高周波干渉を防止するＬＥＤライト電源供給装置を提供し、ＬＥＤライト電源供給装置及びそのＬＥＤライトの使用寿命を延長する。コンデンサで正、負弦波にして充放電を繰り返し、電圧を上げてＬＥＤライトの明かりをつけ、高温にならずＬＥＤの寿命を延ばす効果を達成する。
【背景技術】
【０００２】
現在のＬＥＤライト電源供給装置は、ほとんどがスイッチ電源を採用していて、それは高周波振動で駆動される。高周波振動電源が干渉しやすいため、ＥＭＣ高周波干渉抑制回路を必要とする。そのため、大量の部品（例としてMOSトランジスタ、チョーク高周波コイル、電解コンデンサ等）の設置を必要とし、そのため、ＬＥＤライト全体の電源体積が大きくなり、生産コストが高くなる。その他、高周波振動の時のMOSトランジスタとチョーク高周波コイルは高熱を発しやすく、そのため、電解コンデンサの寿命が短くなりやすく、更にはＬＥＤライト電源供給装置及びそのＬＥＤライトの使用寿命に影響する。拠って、高周波干渉を防止するＬＥＤライト電源供給装置で該ＬＥＤライト電源供給装置及びそのＬＥＤライトの使用寿命を延ばし、且つコストを下げることが必要である。
【先行技術文献】
【特許文献】
【０００３】
【特許文献１】特開２００９−２１２８５９３号公報
【特許文献２】特開２００７−１７３６９７号公報
【考案の概要】
【考案が解決しようとする課題】
【０００４】
解決しようとする問題点は、ＬＥＤライト全体の電源体積が大きくなり、生産コストが高くなる点である。
【課題を解決するための手段】
【０００５】
本考案は、整流回路、二充放電コンデンサから構成され、二充放電コンデンサは複数個のＬＥＤライトに接続し、ＬＥＤライトの数に基づいて分けて並列に接続する。二充放電コンデンサはそれぞれ正電源端子、負電源端子に接続し、それらによって相互に交代で充電、放電し、電圧を上げてＬＥＤライトを全発光し、従来のスイッチ電源に取って代わり、高周波振動によって高温の問題が発生せず、且つコストを下げることを最も主要な特徴とする。
【考案の効果】
【０００６】
本考案のコンデンサ充放電式ＬＥＤライト電源供給装置は、高温にならずＬＥＤの寿命を延ばす効果を達成するという利点がある。
【図面の簡単な説明】
【０００７】
【図１】本考案の回路構造図である。
【考案を実施するための形態】
【０００８】
本考案は、上述公知の問題を改善し、技術的構成は整流回路１０、二充放電コンデンサＣ１、Ｃ２から構成されて設置し、整流回路１０は二個のダイオードＤ１、Ｄ２を備え、コンデンサＣ１の一端はダイオードＤ１の陰極と接続し、他端は電源線と接続する。コンデンサＣ２の一端は、ダイオードＤ２の陽極と接続し、他端は電源線と接続し、正、負電弦波の相互交替充電、放電を形成し、電圧を上げてＬＥＤライトを発光し、二充放電コンデンサＣ１、Ｃ２の保存及び放電機能でＬＥＤライトに電気を供給し、公知のスイッチ電源に取って代わり、MOSトランジスタ、チョーク高周波コイル及び電解コンデンサ等部品を必要とせず、上述部品が高周波振動によってもたらされた干渉を防止し、及び該MOSトランジスタとチョーク高周波コイルが発した高熱を排除し、該ＬＥＤライト電源供給装置及びそのＬＥＤライトの使用寿命を延ばし、且つコストを下げる。
【実施例】
【０００９】
図１は、整流回路１０、二充放電コンデンサＣ１、Ｃ２及び複数個のＬＥＤライト１１から構成する。該整流回路は前端が交流電源と接続し、その輸出端は二充放電コンデンサＣ１、Ｃ２に接続する。整流回路１０は、二個のダイオードＤ１、Ｄ２を備え、コンデンサＣ１の一端はダイオードＤ１の陰極と接続して正極にする。別一端は電源線１２と接続する。該コンデンサＣ２の一端はダイオードＤ２の陽極と接続し、負極となる。別一端は電源線１２と接続し、交流電流を直流電流にして、二充放電コンデンサＣ１、Ｃ２は複数個のＬＥＤライト１１に接続する。
該複数個のＬＥＤライト１１は、数個のＬＥＤライト１１を直列にして設置して各直列のＬＥＤライト１１は更に接続に繋ぎ、ＬＥＤライトが一個壊れただけで、全体が光らなくなるのを防止する。
【００１０】
上述の構造に基づき、本考案の作用、効果は以下のとおりである。図１に示すとおり、電源の正弦波が初めの充放コンデンサＣ１へ流れた時、初めの充放電コンデンサＣ１に対して充電するが、その電圧はまだＬＥＤライト１１が光る駆動電圧に達していないため、そのＬＥＤライト１１は一部発光状態である。負弦波が二番目の充電コンデンサＣ２へ達した時、二番目の充電コンデンサＣ２に対して充電すると同時に直列で充電していた初めの充電コンデンサＣ１が放電し、電圧を上げ、ＬＥＤライト１１を全発光させる。他、正弦波は初めの充電コンデンサＣ１を充電し、同時に第二充電コンデンサＣ２を直列にして放電し、電圧を上げて，ＬＥＤライト１１が全発光状態を保つ電源を提供する。上述の反復作用によってＬＥＤライトを正常に発光させ、また充電コンデンサＣ１、Ｃ２のコンデンサ値を選択し、充放電電流の大きさを制御し、ＬＥＤライト１１の輝度も制御する。
【００１１】
上述の説明から分かるとおり、本考案は二充電コンデンサＣ１、Ｃ２が充電、放電を相互に交代することによって、ＬＥＤライト１１が光り、公知の高周波振動のコイル、電力トランジスタのようなことがないので、高温の問題が発生せず、電子部品コストが下がり、体積が縮小し、電子部品(ＬＥＤライトを含む)の使用寿命等効果に影響しない。
【００１２】
また、本考案の最大の長所として、ＬＥＤライト１１駆動電圧において一辺の上半弦波が保存したコンデンサ上に接続し、電源と隔離する。 ＬＥＤライト１１がコンデンサ充電，コンデンサ放電を形成し、電源はいつでも突破してＬＥＤライト１１上で止まらない。拠ってＬＥＤライト１１の寿命を大幅に延ばし、且つコンデンサ量を調整し、充、放電電流の大きさを制御し、ＬＥＤライト１１輝度を調整し、調光できるようにする。
【００１３】
上述のとおり、本考案の構造、装置は確実に実用性が高く、効果を高めるため、実用新案登録の条件に符合する。
【符号の説明】
【００１４】
１０      整流回路
１１      ＬＥＤライト
１２      電源線
Ｃ１      充放電コンデンサ
Ｃ２      充放電コンデンサ
Ｄ１      ダイオード
Ｄ２      ダイオード
【図１】
0003182370.tif 000003